【手続補正書】
【提出日】平成17年3月2日(2005.3.2)
【手続補正１】
【補正対象書類名】明細書
【補正対象項目名】特許請求の範囲
【補正方法】変更
【補正の内容】
【特許請求の範囲】
【請求項１】
入力されたテキストを解析し、当該テキスト中に所定の単語又は文が存在する場合に、予め人間の発声から抽出された上記所定の単語又は文に対応する自然韻律データを記憶手段から選択する自然韻律データ選択工程と、
上記所定の単語又は文以外の部分について、上記テキストの音声記号列を作成する音声記号列作成工程と、
上記音声記号列から韻律データを作成する韻律データ作成工程と、
上記自然韻律データ又は上記韻律データに基づいて音声を合成する音声合成工程と
を有することを特徴とする音声合成方法。
【請求項２】
上記記憶手段には、同一表記に対して複数種類の自然韻律データが記憶されており、
上記自然韻律データ選択工程では、上記複数種類の自然韻律データから、選択制御情報によって指定された１種類が選択されること
を特徴とする請求項１記載の音声合成方法。
【請求項３】
上記複数種類の自然韻律データは、異なる種類の感情又はキャラクタを表すものであることを特徴とする請求項２記載の音声合成方法。
【請求項４】
上記選択制御情報は、外部から与えられた情報であることを特徴とする請求項２記載の音声合成方法。
【請求項５】
上記選択制御情報は、上記テキストに埋め込まれたタグの情報であることを特徴とする請求項２記載の音声合成方法。
【請求項６】
上記選択制御情報によって指定された自然韻律データが上記記憶手段に記憶されていない場合、
上記自然韻律データ選択工程では、当該指定された自然韻律データに類似する自然韻律データが選択されること
を特徴とする請求項２記載の音声合成方法。
【請求項７】
上記音声合成工程では、少なくとも上記自然韻律データのパラメータが調整されて、上記音声が合成されることを特徴とする請求項１記載の音声合成方法。
【請求項８】
上記テキストは、複数の音韻を有して成り、上記パラメータは、上記音韻のピッチ周期、継続時間長及び音量の少なくとも１つであることを特徴とする請求項７記載の音声合成方法。
【請求項９】
上記音声合成工程では、当該合成に用いられる音素片データの平均ピッチ周期、平均話速及び平均音量の少なくとも１つに基づいて、上記パラメータが調整されることを特徴とする請求項８記載の音声合成方法。
【請求項１０】
上記記憶手段には、同一表記に対して複数種類の自然韻律データが記憶されており、
上記自然韻律データ選択工程では、上記複数種類の自然韻律データから、選択制御情報によって指定された１種類が選択され、
上記韻律データ作成工程では、上記選択制御情報に基づいて、上記韻律データの上記パラメータが調整され、
上記音声合成工程では、当該調整後の上記韻律データの上記パラメータに基づいて、上記自然韻律データの上記パラメータが調整されること
を特徴とする請求項８記載の音声合成方法。
【請求項１１】
所定の単語又は文と、予め人間の発声から抽出された上記所定の単語又は文に対応する自然韻律データとが記憶されている記憶手段と、
入力されたテキストを解析し、当該テキスト中に上記所定の単語又は文が存在する場合に、当該所定の単語又は文に対応する自然韻律データを上記記憶手段から選択する自然韻律データ選択手段と、
上記所定の単語又は文以外の部分について、上記テキストの音声記号列を作成する音声記号列作成手段と、
上記音声記号列から韻律データを作成する韻律データ作成手段と、
上記自然韻律データ又は上記韻律データに基づいて音声を合成する音声合成手段と
を備えることを特徴とする音声合成装置。
【請求項１２】
上記記憶手段には、同一表記に対して複数種類の自然韻律データが記憶されており、
上記自然韻律データ選択手段は、上記複数種類の自然韻律データから、選択制御情報によって指定された１種類を選択すること
を特徴とする請求項１１記載の音声合成装置。
【請求項１３】
上記複数種類の自然韻律データは、異なる種類の感情又はキャラクタを表すものであることを特徴とする請求項１２記載の音声合成装置。
【請求項１４】
上記音声合成手段は、少なくとも上記自然韻律データのパラメータを調整して、上記音声を合成することを特徴とする請求項１１記載の音声合成装置。
【請求項１５】
上記テキストは、複数の音韻を有して成り、上記パラメータは、上記音韻のピッチ周期、継続時間長及び音量の少なくとも１つであることを特徴とする請求項１４記載の音声合成装置。
【請求項１６】
上記音声合成手段は、当該合成に用いられる音声素片データの平均ピッチ周期、平均話速及び平均音量の少なくとも１つに基づいて、上記パラメータを調整することを特徴とする請求項１５記載の音声合成装置。
【請求項１７】
上記記憶手段には、同一表記に対して複数種類の自然韻律データが記憶されており、
上記自然韻律データ選択手段は、上記複数種類の自然韻律データから、選択制御情報によって指定された１種類を選択し、
上記韻律データ作成手段は、上記選択制御情報に基づいて、上記韻律データの上記パラメータを調整し、
上記音声合成手段は、当該調整後の上記韻律データの上記パラメータに基づいて、上記自然韻律データの上記パラメータを調整すること
を特徴とする請求項１５記載の音声合成装置。
【請求項１８】
コンピュータに所定の処理を実行させるためのプログラムであって、
入力されたテキストを解析し、当該テキスト中に所定の単語又は文が存在する場合に、予め人間の発声から抽出された上記所定の単語又は文に対応する自然韻律データを記憶手段から選択する自然韻律データ選択工程と、
上記所定の単語又は文以外の部分について、上記テキストの音声記号列を作成する音声記号列作成工程と、
上記音声記号列から韻律データを作成する韻律データ作成工程と、
上記自然韻律データ又は上記韻律データに基づいて音声を合成する音声合成工程と
を有することを特徴とするプログラム。
【請求項１９】
コンピュータに所定の処理を実行させるためのプログラムが記録されたコンピュータ読み取り可能な記録媒体であって、
入力されたテキストを解析し、当該テキスト中に所定の単語又は文が存在する場合に、予め人間の発声から抽出された上記所定の単語又は文に対応する自然韻律データを記憶手段から選択する自然韻律データ選択工程と、
上記所定の単語又は文以外の部分について、上記テキストの音声記号列を作成する音声記号列作成工程と、
上記音声記号列から韻律データを作成する韻律データ作成工程と、
上記自然韻律データ又は上記韻律データに基づいて音声を合成する音声合成工程と
を有することを特徴とするプログラムが記録された記録媒体。
【請求項２０】
供給された入力情報に基づいて動作を行う自律型のロボット装置であって、
所定の単語又は文と、予め人間の発声から抽出された上記所定の単語又は文に対応する自然韻律データとが記憶されている記憶手段と、
発話するテキストを解析し、当該テキスト中に上記所定の単語又は文が存在する場合に、当該所定の単語又は文に対応する自然韻律データを上記記憶手段から選択する自然韻律データ選択手段と、
上記所定の単語又は文以外の部分について、上記テキストの音声記号列を作成する音声記号列作成手段と、
上記音声記号列から韻律データを作成する韻律データ作成手段と、
上記自然韻律データ又は上記韻律データに基づいて音声を合成する音声合成手段と
を備えることを特徴とするロボット装置。
【請求項２１】
上記記憶手段には、同一表記に対して複数種類の自然韻律データが記憶されており、
上記自然韻律データ選択手段は、上記複数種類の自然韻律データから、選択制御情報によって指定された１種類を選択すること
を特徴とする請求項２０記載のロボット装置。
【請求項２２】
上記複数種類の自然韻律データは、異なる種類の感情又はキャラクタを表すものであることを特徴とする請求項２１記載のロボット装置。
【請求項２３】
上記動作に起因する感情モデルと、
上記感情モデルの感情状態を判別する感情状態判別手段とをさらに備え、
上記選択制御情報は、上記感情状態判別手段によって判別された感情状態情報であることを特徴とする請求項２１記載のロボット装置。
【請求項２４】
上記選択制御情報は、上記テキストに埋め込まれたタグの情報であることを特徴とする請求項２１記載のロボット装置。
【請求項２５】
上記選択制御情報によって指定された自然韻律データが上記記憶手段に記憶されていない場合、
上記自然韻律データ生成手段は、当該指定された自然韻律データに類似する自然韻律データを選択すること
を特徴とする請求項２１記載のロボット装置。
【請求項２６】
上記音声合成手段は、少なくとも上記自然韻律データのパラメータを調整して、上記音声を合成することを特徴とする請求項２０記載のロボット装置。
【請求項２７】
上記テキストは、複数の音韻を有して成り、上記パラメータは、上記音韻のピッチ周期、継続時間長及び音量の少なくとも１つであることを特徴とする請求項２６記載のロボット装置。
【請求項２８】
上記音声合成手段は、当該合成に用いられる音声素片データの平均ピッチ周期、平均話速及び平均音量の少なくとも１つに基づいて、上記パラメータを調整することを特徴とする請求項２７記載のロボット装置。
【請求項２９】
上記記憶手段には、同一表記に対して複数種類の自然韻律データが記憶されており、
上記自然韻律データ選択手段は、上記複数種類の自然韻律データから、選択制御情報によって指定された１種類を選択し、
上記韻律データ作成手段は、上記選択制御情報に基づいて、上記韻律データの上記パラメータを調整し、
上記音声合成手段は、当該調整後の上記韻律データの上記パラメータに基づいて、上記自然韻律データの上記パラメータを調整すること
を特徴とする請求項２７記載のロボット装置。
【手続補正２】
【補正対象書類名】明細書
【補正対象項目名】００１０
【補正方法】変更
【補正の内容】
【００１０】
ここで、上記記憶手段には、同一表記に対して、例えば異なる種類の感情又はキャラクタを表す複数種類の自然韻律データが記憶されており、上記自然韻律データを選択する際には、上記複数種類の自然韻律データから、選択制御情報によって指定された１種類が選択される。この選択制御情報は、例えば外部から与えられた情報又は上記テキストに埋め込まれたタグの情報である。
【手続補正３】
【補正対象書類名】明細書
【補正対象項目名】００１４
【補正方法】変更
【補正の内容】
【００１４】
ここで、上記記憶手段には、同一表記に対して、例えば異なる種類の感情又はキャラクタを表す複数種類の自然韻律データが記憶されており、上記自然韻律データ選択手段は、上記複数種類の自然韻律データから、選択制御情報によって指定された１種類を選択する。この選択制御情報は、例えば感情モデルの感情状態情報又は上記テキストに埋め込まれたタグの情報である。
【手続補正４】
【補正対象書類名】明細書
【補正対象項目名】０１３４
【補正方法】変更
【補正の内容】
【０１３４】
ここで、上記記憶手段には、同一表記に対して、例えば異なる種類の感情又はキャラクタを表す複数種類の自然韻律データが記憶されており、上記自然韻律データを選択する際には、上記複数種類の自然韻律データから、選択制御情報によって指定された１種類が選択される。この選択制御情報は、例えば外部から与えられた情報又は上記テキストに埋め込まれたタグの情報である。
【手続補正５】
【補正対象書類名】明細書
【補正対象項目名】０１３９
【補正方法】変更
【補正の内容】
【０１３９】
ここで、上記記憶手段には、同一表記に対して、例えば異なる種類の感情又はキャラクタを表す複数種類の自然韻律データが記憶されており、上記自然韻律データ選択手段は、上記複数種類の自然韻律データから、選択制御情報によって指定された１種類を選択する。この選択制御情報は、例えば感情モデルの感情状態情報又は上記テキストに埋め込まれたタグの情報である。